(57)【要約】【課題】E-SATA信号と電力を同時に伝送する伝送ケーブルを提供する。【解決手段】伝送ケーブルは、スロットが設けられた筐体と、E-SATA信号を受信するE-SATA端子セットと、電力を受ける電源端子セットとを備えた第一プラグと、E-SATA端子セットと電気的に接続されてE-SATA信号を送信するE-SATA信号ケーブルと、E-SATA信号ケーブルに接続され、E-SATA周辺装置の信号コネクタを受け入れる第二プラグと、電源端子セットに電気的に接続されて電力を伝送する電力伝送ケーブルと、電力伝送ケーブルと接続され、E-SATA周辺装置の電源コネクタを受け入れて電力をE-SATA周辺装置に伝送する第三プラグとを含む。【選択図】図３
0003140192.tif 000002
【実用新案登録請求の範囲】
【請求項１】
E-SATA信号と電力を伝送する伝送ケーブルであって、
ホスト装置のコネクタと接続され、スロットが設けられた筐体と、スロットの一側に設けられてE-SATA信号を受信するE-SATA端子セットと、スロットの他側に設けられて電力を受ける電源端子セットとを備えた第一プラグと、
上記E-SATA端子セットと電気的に接続されてE-SATA信号を送信するE-SATA信号ケーブルと、
上記E-SATA信号ケーブルに接続され、E-SATA周辺装置の信号コネクタを受け入れる第二プラグと、
上記電源端子セットに電気的に接続されて電力を伝送する電力伝送ケーブルと、
上記電力伝送ケーブルと接続され、E-SATA周辺装置の電源コネクタを受け入れて電力をE-SATA周辺装置に伝送する第三プラグとを含むことを特徴とする伝送ケーブル。
【請求項２】
前記電源端子セットはＵＳＢ規格準拠であることを特徴とする請求項１記載の伝送ケーブル。
【請求項３】
前記電源端子セットは５Ｖ電源端子と接地端子を含むことを特徴とする請求項２記載の伝送ケーブル。
【請求項４】
前記電源端子セットは、ホスト装置からE-SATA周辺装置への電力供給を検出する２本の信号端子を含むことを特徴とする請求項３記載の伝送ケーブル。
【請求項５】
E-SATA信号と電力を伝送する伝送ケーブル構造であって、
回路基板と、
回路基板に設けられ、E-SATAピンセットと電源ピンセットを備えたコネクタと、
伝送ケーブルとを含み、そのうち伝送ケーブルは、
スロットが設けられた筐体と、スロットの一側に設けられ、上記コネクタのE-SATAピンセットと電気的に接続されてE-SATA信号を受信するE-SATA端子セットと、スロットの他側に設けられ、上記コネクタの電源ピンセットと電気的に接続されて電力を受ける電源端子セットとを備えた第一プラグと、
上記E-SATA端子セットと電気的に接続されてE-SATA信号を送信するE-SATA信号ケーブルと、
上記E-SATA信号ケーブルに接続され、E-SATA周辺装置の信号コネクタを受け入れる第二プラグと、
上記電源端子セットに電気的に接続されて電力を伝送する電力伝送ケーブルと、
上記電力伝送ケーブルと接続され、E-SATA周辺装置の電源コネクタを受け入れて電力をE-SATA周辺装置に伝送する第三プラグとを含むことを特徴とする伝送ケーブル構造。
【請求項６】
前記コネクタの電源ピンセットはＵＳＢ規格準拠であって、前記電源端子セットもＵＳＢ規格準拠であることを特徴とする請求項５記載の伝送ケーブル構造。
【請求項７】
前記電源ピンセットは５Ｖ電源ピンと接地ピンを含み、電源端子セットは、５Ｖ電源ピンと接続される５Ｖ電源端子と、接地ピンと接続される接地端子を含むことを特徴とする請求項６記載の伝送ケーブル構造。
【請求項８】
前記電源端子セットは、ホスト装置からE-SATA周辺装置への電力供給を検出する２本の信号端子を含むことを特徴とする請求項７記載の伝送ケーブル構造。
【考案の詳細な説明】
【技術分野】
【０００１】
本考案は伝送ケーブルに関し、特にE-SATA（外付け用シリアルＡＴＡ）信号と電力を同時に伝送する伝送ケーブルに関する。
【背景技術】
【０００２】
情報化とコンピュータ技術の発展に伴って、コンピュータシステムの小型化、アプリケーションの多元化が進んでいる。ユーザーの要求に対応してコンピュータシステムを拡張するためには、各種の外付け装置が開発された。例えば、コンピュータシステムの限られた記憶容量を拡張するものとして外付け式ＨＤＤ（ハードディスクドライブ）や携帯型記憶装置があり、コンピュータシステムのマルチメディアアクセス機能を拡張し、大容量のデータバックアップを可能にするものとして外付け式光ディスクドライブがある。外付け式記憶装置の正常動作を確保するためには、システムと記憶装置の間にデータ送信用の伝送インターフェイスを確立することが必要である。それについて現在では、ＵＳＢ（汎用シリアルバス）、IEEE1394、E-SATAなどの規格が制定されている。そのうちE-SATAはプラグアンドプレイ機能を有し、送信理論値が1.5Gbpsに達する高速データ伝送インターフェイスであって、外付け式の周辺装置（ＨＤＤ、光ディスクドライブ、スキャナなど）に多用される。
【０００３】
図１を参照する。図１は従来のホスト装置１０とE-SATA周辺装置１２との接続を表す説明図である。ホスト装置１０は例えばノートブック型コンピュータなどのコンピュータ装置であって、E-SATA周辺装置１２は例えば外付け式のＨＤＤ、光ディスクドライブ、またはスキャナである。ホスト装置１０とE-SATA周辺装置１２の間は伝送ケーブル１４を介してE-SATA信号を伝送し、ホスト装置１０のデータをE-SATA周辺装置１２に保存するか、E-SATA周辺装置１２のデータを読み出す。E-SATA周辺装置１２は他に電源ケーブル１６を介して外部電源１８と接続して所要の電力を受電する。換言すると、ホスト装置１０とE-SATA周辺装置１２をつなぐ伝送ケーブル１４はE-SATA信号のみ伝送し、E-SATA周辺装置１２で外部電源１８から電力を受けるためには別途に電源ケーブル１６が必要である。使用環境によって外部電源１８がない場合ではE-SATA周辺装置１２が使えなくなり、不便である。
【考案の開示】
【考案が解決しようとする課題】
【０００４】
本考案は上記従来の問題を解決するため、E-SATA信号と電力を同時に伝送する伝送ケーブルを提供することを課題とする。
【課題を解決するための手段】
【０００５】
本考案はE-SATA信号と電力を伝送する伝送ケーブルを提供する。該伝送ケーブルは、ホスト装置のコネクタと接続され、スロットが設けられた筐体と、スロットの一側に設けられてE-SATA信号を受信するE-SATA端子セットと、スロットの他側に設けられて電力を受ける電源端子セットとを備えた第一プラグと、上記E-SATA端子セットと電気的に接続されてE-SATA信号を送信するE-SATA信号ケーブルと、上記E-SATA信号ケーブルに接続され、E-SATA周辺装置の信号コネクタを受け入れる第二プラグと、上記電源端子セットに電気的に接続されて電力を伝送する電力伝送ケーブルと、上記電力伝送ケーブルと接続され、E-SATA周辺装置の電源コネクタを受け入れて電力をE-SATA周辺装置に伝送する第三プラグとを含む。
【０００６】
本考案は更に、E-SATA信号と電力を伝送する伝送ケーブル構造を提供する。該伝送ケーブル構造は、回路基板と、回路基板に設けられ、E-SATAピンセットと電源ピンセットを備えたコネクタと、伝送ケーブルとを含む。該伝送ケーブルは、スロットが設けられた筐体と、スロットの一側に設けられ、上記コネクタのE-SATAピンセットと電気的に接続されてE-SATA信号を受信するE-SATA端子セットと、スロットの他側に設けられ、上記コネクタの電源ピンセットと電気的に接続されて電力を受ける電源端子セットとを備えた第一プラグと、上記E-SATA端子セットと電気的に接続されてE-SATA信号を送信するE-SATA信号ケーブルと、上記E-SATA信号ケーブルに接続され、E-SATA周辺装置の信号コネクタを受け入れる第二プラグと、上記電源端子セットに電気的に接続されて電力を伝送する電力伝送ケーブルと、上記電力伝送ケーブルと接続され、E-SATA周辺装置の電源コネクタを受け入れて電力をE-SATA周辺装置に伝送する第三プラグとを含む。
【考案の効果】
【０００７】
本考案はホスト装置とE-SATA周辺装置の間にE-SATA信号と電力を同時に伝送できる伝送ケーブルを提供する。E-SATA周辺装置は電源ケーブルで外部電源から電力を受ける必要がなく、信号伝送ケーブルのみでホスト装置から電力を受けることができる。そのため、外部電源がない場合でもE-SATA周辺装置を使用することができ、便利である。
【考案を実施するための最良の形態】
【０００８】
かかる装置と方法の特徴を詳述するために、具体的な実施例を挙げ、図示を参照して以下に説明する。
【０００９】
図２と図３を参照する。図２は本考案によるホスト装置５０とE-SATA周辺装置５２との接続を表す説明図であり、図３は本考案によるホスト装置５０とE-SATA周辺装置５２との接続を表すブロック図である。ホスト装置１０は例えばノートブック型コンピュータなどのコンピュータ装置であって、E-SATA周辺装置１２は例えば外付け式のＨＤＤ、光ディスクドライブ、またはスキャナである。ホスト装置５０にはマザーボードなどの回路基板５４と、回路基板５４に設けられたコネクタ５６が含まれ、E-SATA周辺装置５２には信号コネクタ５８と電源コネクタ６０が含まれている。ホスト装置５０とE-SATA周辺装置５２の間は伝送ケーブル６２を介してE-SATA信号と電力を伝送する。以上の回路基板５４、コネクタ５６、伝送ケーブル６２は伝送ケーブル構造６３を構成する。伝送ケーブル６２には第一プラグ６４と、第二プラグ６６と、第三プラグ６８が設けられ、第一プラグ６４はホスト装置５０のコネクタ５６と接続し、第二プラグ６６はE-SATA周辺装置５２の信号コネクタ５８と接続し、第三プラグ６６はE-SATA周辺装置５２の電源コネクタ６０と接続する。
【００１０】
図４を参照する。図４は本考案による回路基板５４に設けられたコネクタ５６を表す説明図である。コネクタ５６には更にE-SATAピンセット７０と、電源ピンセット７２が設けられる。E-SATAピンセット７０は７本のピンからなり、左から１、４、７本目のピンは接地用のものであって、２、３、５、６本目は信号伝送用のものである。電源ピンセット７２は例えばＵＳＢ規格準拠であって、左から１本目のピンは５Ｖの電源ピン７２１であり、４本目は接地ピン７２２であり、２、３本目は信号ピン７２３である。信号ピン７２３はホスト装置５０からE-SATA周辺装置５２への電力供給を検出する素子であって、その設置は任意である。換言すれば、電源ピンセット７２は５Ｖ電源ピン７２１と接地ピン７２２のみ含めばよい。
【００１１】
図５と図６を参照する。図５は本考案の伝送ケーブル６２の外観図であって、図６は本考案による第一プラグ６４を表す説明図である。第一プラグ６４はホスト装置５０に挿入されるコネクタ５６と接続する素子であって、スロット７４を設けた筐体７４と、スロット７６の一側に設けられ、コネクタ５６のE-SATAピンセット７０と電気的に接続してE-SATA信号を受信するE-SATA端子セット７８と、スロット７６の他側に設けられて電力を受ける電源端子セット８０とを含む。コネクタ５６の構造に対応し、第一プラグ６４のE-SATA端子セット７８は７本の端子からなり、左から１、４、７本目の端子は接地用のものであって、２、３、５、６本目は信号伝送用のものである。これらの端子はコネクタ５６のピンとそれぞれ電気的に接続してE-SATA信号を伝送する。電源端子セット８０は例えばＵＳＢ規格準拠であって、左から１本目の端子は５Ｖの電源端子８０１であり、４本目は接地端子８０２であり、２、３本目は信号端子８０３である。信号端子８０３はコネクタ５６の信号ピン７２３とそれぞれ接続し、ホスト装置５０からE-SATA周辺装置５２への電力供給を検出する素子であって、その設置は任意である。換言すれば、電源端子セット８０は５Ｖ電源端子８０１と接地端子８０２のみ含めばよい。第一プラグ６４をコネクタ５６に挿入した後、E-SATA端子セット７８はE-SATAピンセット７０と接触し、電源端子セット８０は電源ピンセット７２と接触するようになり、ホスト装置５０とE-SATA周辺装置５２との間では伝送ケーブル６２を介してE-SATA信号と電力が同時に伝送される。
【００１２】
図２から図６を参照する。伝送ケーブル６２は更に、E-SATA端子セット７８と第二プラグ６６に電気的に接続され、E-SATA信号を伝送するE-SATA信号ケーブル８２と、電源端子セット８０と第三プラグ６８に電気的に接続されて電力を伝送する電力伝送ケーブル８４を含む。第一プラグ６４をコネクタ５６に挿入し、第二プラグ６６を信号コネクタ５８に挿入した後、E-SATA端子セット７８はE-SATAピンセット７０と接触するようになり、ホスト装置５０とE-SATA周辺装置５２の間のE-SATA信号は、コネクタ５６のE-SATAピンセット７０、第一プラグ６４のE-SATA端子セット７８、E-SATA信号ケーブル８２、第二プラグ６６、及び信号コネクタ５８を通して順次送信される。第一プラグ６４をコネクタ５６に挿入し、第三プラグ６６を電源コネクタ６０に挿入した後、電源端子セット８０は電源ピンセット７２と接触するようになり、ホスト装置５０からE-SATA周辺装置５２への電力は、コネクタ５６の電源ピンセット７２、第一プラグ６４の電源端子セット８０、電力伝送ケーブル８４、第三プラグ６８、及び電源コネクタ６０を通して順次伝送される。言い換えれば、第一プラグ６４、第二プラグ６６、及び第三プラグ６８をホスト装置５０のコネクタ５６、E-SATA周辺装置５２の信号コネクタ５８、及びE-SATA周辺装置５２の電源コネクタ６０にそれぞれ挿入した後、ホスト装置５０とE-SATA周辺装置５２の間では伝送ケーブル６２を介してE-SATA信号と電力が同時に伝送される。
【００１３】
以上は本考案に好ましい実施例であって、本考案の実施の範囲を限定するものではない。よって、当業者のなし得る修正、もしくは変更であって、本考案の精神の下においてなされ、本考案に対して均等の効果を有するものは、いずれも本考案の実用新案登録請求の範囲に属するものとする。
【産業上の利用可能性】
【００１４】
本考案は従来のE-SATA伝送ケーブルに電力伝送インターフェイスとしてＵＳＢを設けることを内容とし、実施可能である。
【図面の簡単な説明】
【００１５】
【図１】従来のホスト装置とE-SATA周辺装置との接続を表す説明図である。
【図２】本考案によるホスト装置とE-SATA周辺装置との接続を表す説明図である。
【図３】本考案によるホスト装置とE-SATA周辺装置との接続を表すブロック図である。
【図４】本考案による回路基板に設けられたコネクタを表す説明図である。
【図５】本考案の伝送ケーブルの外観図である。
【図６】本考案による第一プラグを表す説明図である。
【符号の説明】
【００１６】
１０、５０  ホスト装置
１２、５２  E-SATA周辺装置
１４、６２  伝送ケーブル
１６        電源ケーブル
１８        外部電源
５４        回路基板
５６        コネクタ
５８        信号コネクタ
６０        電源コネクタ
６３        伝送ケーブル構造
６４        第一プラグ
６６        第二プラグ
６８        第三プラグ
７０        E-SATAピンセット
７２        電源ピンセット
７４        筐体
７６        スロット
７８        E-SATA端子セット
８０        電源端子セット
８２        E-SATA信号ケーブル
８４        電力伝送ケーブル
７２１      ５Ｖ電源ピン
７２２      接地ピン
７２３      信号ピン
８０１      ５Ｖ電源端子
８０２      接地端子
８０３      信号端子
【図１】
0003140192.tif 000003
【図２】
0003140192.tif 000004
【図３】
0003140192.tif 000005
【図４】
0003140192.tif 000006
【図５】
0003140192.tif 000007
【図６】
0003140192.tif 000008